(57)【要約】【課題】パネルが開いた状態で、パネル自身の重量負荷により、パネルが左右方向にずれない空気調和機を提供すること。【解決手段】パネル１１に向かって左側の機構部品完成１と右側の機構部品完成２の構成を、前記パネル１１の内側に駆動アーム３、５をそれぞれ配置し、外側にガイドアーム４、６をそれぞれ配置した構成にすることにより、パネル１１自身の重量負荷が前記複数の機構部品完成１、２に対し均等に作用するので、パネル開状態での安定性を確保し見栄えの向上を図ることができる。【選択図】図１
2012052725.tif 000002
【特許請求の範囲】
【請求項１】
室内機の吸込口の前面を開閉する可動パネルと、前記パネルを駆動するパネル開閉メカ装置が動力装置と、伝達ギヤと、伝達軸と、駆動アームとその駆動アームに連結されたガイドアームで構成された複数の機構部品完成と、を備え、前記伝達ギヤと前記複数の駆動アームが前記伝達軸で連結されて構成された空気調和機であって、
前記パネルに向かって左側の機構部品完成と右側の機構部品完成の構成を、前記パネルの内側又は外側に駆動アームをそれぞれ配置し、外側又は内側にガイドアームをそれぞれ配置した構成にすることにより、パネル自身の重量負荷が前記複数の機構部品完成に対し均等に作用するようにしたことを特徴とする空気調和機。
【請求項２】
前記左側の機構部品完成において、前記機構部品完成を構成するガイドアームと前記伝達ギヤが正面から見て一部が重なる位置に構成することにより、パネル開閉メカ装置の構成のコンパクト化が可能となることを特徴とする請求項１に記載の空気調和機。
【発明の詳細な説明】
【技術分野】
【０００１】
本発明は、パネル開閉メカ装置を備えた空気調和機に関するものである。
【背景技術】
【０００２】
従来この種の空気調和機には、吸込口の前面を自動開閉するパネルを有し、前記パネルを駆動するメカ装置が、動力部品と複数の機構部品とその複数の機構部品を伝達軸で連結して構成されたものがある（例えば、特許文献１参照）。また、特許文献１には、可動パネル開閉時の制御状態についても記載されている。
【先行技術文献】
【特許文献】
【０００３】
【特許文献１】特開２００５−１３４０２９号公報
【発明の概要】
【発明が解決しようとする課題】
【０００４】
しかしながら、上記（特許文献１）の従来技術では、前記パネルが開いた状態での位置安定性手段が欠けているため、前記パネル自身の重量負荷が複数の機構部品完成に対し片寄りに作用し、前記パネルが左右方向の片側にずれた状態になってしまい見映えが悪くなっていた。
【０００５】
本発明は、前記従来の課題を解決するもので、パネルが開いた状態においてパネル自身の重量負荷が複数の機構部品完成に対し均等に作用する構成を提供することにより、前記パネル開状態での安定性を確保し見栄えの向上を図ることを目的とする。
【課題を解決するための手段】
【０００６】
前記従来の課題を解決するために本発明の空気調和機は、室内機の吸込口の前面を開閉する可動パネルと、パネルを駆動するパネル開閉メカ装置が動力装置と、伝達ギヤと、伝達軸と、駆動アームとその駆動アームに連結されたガイドアームで構成された複数の機構部品完成と、を備え、伝達ギヤと前記複数の駆動アームが伝達軸で連結されて構成された空気調和機であって、パネルに向かって左側の機構部品完成と右側の機構部品完成の構成を、パネルの内側又は外側に駆動アームをそれぞれ配置し、外側又は内側にガイドアームをそれぞれ配置した構成にすることにより、パネル自身の重量負荷が前記複数の機構部品完成に対し均等に作用するようにしたものである。
【０００７】
これによって、パネル自身の重量負荷がパネル開閉機構部品に対し均等に作用し前記パネル開状態での安定性を確保し見栄えの向上を図ることが可能となる。
【０００８】
また、本発明の空気調和機は、前記左側の機構部品完成において、前記機構部品完成を構成するガイドアームと前記伝達ギヤが正面から見て一部が重なる位置に構成することにより、パネル開閉メカ装置の構成のコンパクト化が可能となるように構成したものである。
【０００９】
これによって、吸い込みの開口面積を広く取ることができ空気調和機の性能を維持しながら、前記パネルが開いた状態での安定性を保ち見栄えの向上を図ることが可能となる。
【発明の効果】
【００１０】
本発明によれば、可動パネル開時の位置安定化を図ることが可能となり、見栄えの向上
を図ることができる。
【図面の簡単な説明】
【００１１】
【図１】本発明の実施形態１における空気調和機の上面図
【図２】同空気調和機の正面図
【図３】図２のＣ−Ｃによる断面図
【図４】図２のＤ−Ｄによる断面図
【図５】図２の機構部品完成の詳細図
【図６】図２の伝達ギヤ及び機構部品完成の詳細図
【図７】従来の空気調和機の上面図
【図８】同空気調和機の正面図
【図９】図８の機構部品完成の詳細図
【発明を実施するための形態】
【００１２】
第１の発明は、吸込口の前面を開閉する可動パネルを有し、前記パネルを駆動するパネル開閉メカ装置が動力装置と伝達ギヤと伝達軸と複数の機構部品完成で構成され、さらに前記複数の機構部品完成が駆動アームとその駆動アームに連結されたガイドアームで構成され、さらに前記伝達ギヤと前記複数の駆動アームが前記伝達軸で連結されて構成された空気調和機において、前記パネルに向かって左側の機構部品完成と右側の機構部品完成の構成を、前記パネルの内側に駆動アームをそれぞれ配置し、外側にガイドアームをそれぞれ配置した構成にすることにより、パネル自身の重量負荷が前記複数の機構部品完成に対し均等に作用するようにしたことにより、パネル自身の重量負荷がパネル開閉機構部品に対し均等に作用するようになり、前記パネル開状態での安定性を確保し見栄えの向上を図ることができる。
【００１３】
第２の発明は、特に第一の発明の空気調和機を前記左側の機構部品完成において、前記機構部品完成を構成するガイドアームと前記伝達ギヤが正面から見て一部が重なる位置に構成することにより、パネル開閉メカ装置の構成のコンパクト化が可能となり、本体吸い込み面積を広く取ることができるため本体の吸い込み面積を広く取ることができ空気調和機の性能を維持しながら、前記パネルが開いた状態での安定性を保ち見栄えの向上を図ることができる。
【００１４】
以下、本発明の実施の形態について、図面を参照しながら説明する。なお、この実施の形態によって本発明が限定されるものではない。
【００１５】
（実施の形態１）
図１、２は、本発明の第１の実施の形態における空気調和機の上面図、正面図を示すものである。図３は同空気調和機の図２のＡ−Ａによる断面図、図４は図２のＢ−Ｂによる断面図、図５は図２の機構部品完成の詳細図を示すものである。
【００１６】
図１、２、３、４において、空気調和機の本体１７は、その本体１７内部に、送風ファン１３を中心に構成された送風ケーシング１４を有し、その手前から上部にかけて熱交換器１２を構成し、その熱交換器１２の前面側に自動開閉するパネル１１を構成している。また、送風ファン１３の下部に吹出しグリル１５を構成し、その先に風向変更羽根１６を構成している。
【００１７】
以上のように構成された空気調和機において、前記パネル１１の自動開閉構成について説明する。本体１７内部の熱交換器１２の手前上部位置に動力装置９が設けて有り、その内部には動力ギヤ９ａを保有している。また、吸入グリル１０側に伝達軸８を設けて有り、その伝達軸８に系合された伝達ギヤ７、機構部品完成（左側）１、機構部品完成（右側
）２を設けて構成されている。
【００１８】
また、機構部品完成（左側）１は、駆動用アーム（左側）３とガイド用アーム（左側）４を連結して構成されている。また、機構部品完成（右側）２は、駆動用アーム（右側）５とガイド用アーム（右側）６を連結して構成されている。
【００１９】
そして、前記パネル１１は前記機構部品完成（左側）１、及び機構部品完成（右側）２によって支持固定されている。
【００２０】
次にパネル１１の開閉動作について説明する。図２、３は運転時のパネル開状態の図である。図において、動力装置９内部の動力ギヤ９ａの回転が伝達ギヤ７に伝わり伝達軸８を回転させ駆動用アーム（左側）３、駆動用アーム（右側）５を回転動作させることによりそれぞれに連結されたガイドアーム（左側）４とガイドアーム（右側）６が同時にパネル１１を駆動させるものである。
【００２１】
ここで、図７は従来のパネル１１開状態の上面図であり、図９は機構部品完成１の詳細図である。前記機構部品完成１は、駆動アーム３の左側にガイドアーム４を配置している。そして、前記機構部品完成１はパネル１１の左右それぞれに設けてあるため、前記駆動アーム３に対して前記ガイドアーム４が同じ側（左側）に配置されることとなる。これによって、パネル１１開状態においてはパネル１１の重量負荷により駆動アーム３とガイドアーム４の接合部分の隙間分のガタが同じ方向に生じ、ガイドアーム４がずれて傾斜状態になってしまい、パネル１１の開き位置が片側へＣ寸法分ずれて見映えが悪くなっていた。
【００２２】
そのため本発明では、図１（パネル１１開状態の上面図）図５（機構部品完成１、２の詳細図）に示すように、前記パネルに向かって左側の機構部品完成１と右側の機構部品完成２の構成を、前記パネル１１の内側に駆動アーム３、５をそれぞれ配置し、外側にガイドアーム４、６をそれぞれ配置した構成にすることにより、パネル１１自身の重量負荷が前記複数の機構部品完成１、２に対し均等に作用するようにしたものである。これによって、パネル１１自身の重量負荷が機構部品完成１、２に対し均等に作用し前記パネル１１開状態での安定性を保つことにより図１のようにパネル１１開状態の両端面位置と本体１７の両側面の位置関係を同一に合わせることができ、見栄えの向上を図ることができる。
【００２３】
（実施の形態２）
図６は、本発明の第２の実施の形態における空気調和機の伝達ギヤ７と機構部品完成１、２の詳細図を示すものである。
【００２４】
図６において、前記左側の機構部品完成１において、前記機構部品完成１を構成するガイドアーム４と前記伝達ギヤ７が正面から見て一部が重なる位置に構成することにより、パネル開閉メカ装置の構成のコンパクト化が可能となり、本体１７吸い込み面積を広く取ることができるため空気調和機の性能を維持しながら、前記パネル１１が開いた状態での安定性を確保し見栄えの向上を図ることができる。
【産業上の利用可能性】
【００２５】
以上のように、本発明にかかる空気調和機は、可動パネル開時の位置安定化を図ることが可能となるので、可動パネルの駆動において、動力部品と機構部品が離れて構成されたメカ装置を搭載した他の空気調和機にも適用できる。
【符号の説明】
【００２６】
１  機構部品完成（左側）
２  機構部品完成（右側）
３  駆動アーム（左側）
４  ガイドアーム（左側）
５  駆動アーム（右側）
６  ガイドアーム（右側）
７  伝達ギヤ
８  伝達軸
９  動力装置
９ａ  動力ギヤ
１０  吸入グリル
１１  パネル
１２  熱交換器
１３  送風ファン
１４  送風ケーシング
１５  吹出しグリル
１６  風向変更羽根
１７  本体
【図１】
2012052725.tif 000003
【図２】
2012052725.tif 000004
【図３】
2012052725.tif 000005
【図４】
2012052725.tif 000006
【図５】
2012052725.tif 000007
【図６】
2012052725.tif 000008
【図７】
2012052725.tif 000009
【図８】
2012052725.tif 000010
【図９】
2012052725.tif 000011